(57)【特許請求の範囲】
【請求項１】
圧縮着火内燃機関から排出される排気をＥＧＲガスとして吸気系に導入するＥＧＲ装置と、
前記圧縮着火内燃機関の気筒内に燃料を噴射する燃料噴射弁と、を備え、
圧縮行程上死点近傍の時期に前記燃料噴射弁から燃料を噴射する拡散燃焼と、圧縮行程上死点近傍の時期よりも早い時期に燃料噴射を実行することで予混合気を形成させる予混合燃焼とのうちいずれかを前記圧縮着火内燃機関の運転状態に応じて選択して行う燃焼モード選択手段と、
前記圧縮着火内燃機関において予混合燃焼が行われているときは拡散燃焼が行われているときに比べて前記ＥＧＲ装置によって吸気系に導入されるＥＧＲガス量を多くすると共に、該ＥＧＲガス量をそれぞれの燃焼モードが行われているときの前記圧縮着火内燃機関の運転状態に基づいて制御するＥＧＲガス量制御手段と、
前記圧縮着火内燃機関において予混合燃焼が行われているときに、前記圧縮着火内燃機関での燃焼騒音が所定上限値より大きくなったか否かを判別する判定手段と、
該判定手段によって前記圧縮着火内燃機関での燃焼騒音が前記所定上限値より大きくなったと判定されたときに、前記燃料噴射弁からの燃料噴射時期を遅角する遅角手段と、を備え、
前記遅角手段によって前記燃料噴射弁からの燃料噴射時期を遅角するときに、燃料噴射時期の単位遅角量当たりの燃焼騒音の低下量に応じて該燃料噴射時期の遅角量を決定することを特徴とする圧縮着火内燃機関の燃焼制御システム。
【請求項２】
前記遅角手段は、燃焼騒音が所定目標値以下となるまで燃料噴射時期を段階的に遅角するものであって、
燃料噴射時期を遅角するときに、先ず、燃料噴射時期の単位遅角量当たりの燃焼騒音の低下量が増加し始める時期まで一段階目で遅角し、その後、一段階当たりの遅角量を最初の遅角量よりも小さくして燃焼騒音が前記所定目標値以下となるまで燃料噴射時期を段階的に遅角することを特徴とする請求項１に記載の圧縮着火内燃機関の燃焼制御システム。
【請求項３】
前記遅角手段は、燃焼騒音が所定目標値以下となるまで燃料噴射時期を段階的に遅角するものであって、
燃料噴射時期を遅角するときに、前記判定手段によって前記圧縮着火内燃機関での燃焼
騒音が所定上限値より大きくなったと判定された時点での燃料噴射時期が早いほど、一段階目の遅角量を大きくすることを特徴とする請求項１に記載の圧縮着火内燃機関の燃焼制御システム。
【請求項４】
前記ＥＧＲガス量制御手段が、前記判定手段によって前記圧縮着火内燃機関での燃焼騒音が前記所定上限値より大きくなったと判定されたときは、前記ＥＧＲ装置によって吸気系に導入されるＥＧＲガス量を増加させるものであって、
前記遅角手段によって前記燃料噴射弁からの燃料噴射時期を遅角すると共に前記ＥＧＲ装置によって吸気系に導入されるＥＧＲガス量を増加させることで前記圧縮着火内燃機関での燃焼騒音が所定下限値より小さくなったときに該燃料噴射時期を段階的に進角させる進角手段をさらに備え、
前記進角手段によって燃料噴射時期を進角させても前記圧縮着火内燃機関での燃焼騒音が変化しない状態となったときは、燃料噴射時期を前記圧縮着火内燃機関の運転状態に基づいて設定される時期に直ちに戻すことを特徴とする請求項１から３のいずれかに記載の圧縮着火内燃機関の燃焼制御システム。
【請求項５】
ＥＧＲガスを含んだ吸気における燃焼抑制成分の濃度を検出する燃焼抑制成分濃度検出手段をさらに備え、
前記判定手段は、前記圧縮着火内燃機関において予混合燃焼が行われているときに、前記燃焼抑制成分濃度検出手段によって検出される燃焼抑制成分の濃度を所定の目標抑制成分濃度から減算した値が所定の抑制成分濃度差より大きくなった場合、前記圧縮着火内燃機関での燃焼騒音が前記所定上限値より大きくなったと判定し、
前記遅角手段によって前記燃料噴射弁からの燃料噴射時期を遅角するときの遅角量を、前記抑制成分濃度検出手段によって検出される燃焼抑制成分の濃度を前記所定の燃焼抑制成分濃度から減算した値に基づいて決定することを特徴とする請求項１に記載の圧縮着火内燃機関の燃焼制御システム。
【請求項６】
ＥＧＲガスを含んだ吸気におけるＯ２濃度を検出するＯ２濃度検出手段をさらに備え、
前記判定手段は、前記圧縮着火内燃機関において予混合燃焼が行われているときに、前記Ｏ２濃度検出手段によって検出されるＯ２濃度から所定の目標Ｏ２濃度を減算した値が所定のＯ２濃度差より大きくなった場合に、前記圧縮着火内燃機関での燃焼騒音が前記所定上限値より大きくなったと判定し、
前記遅角手段によって前記燃料噴射弁からの燃料噴射時期を遅角するときの遅角量を、前記Ｏ２濃度検出手段によって検出されるＯ２濃度から前記所定の目標Ｏ２濃度を減算した値に基づいて決定することを特徴とする請求項１に記載の圧縮着火内燃機関の燃焼制御システム。
【請求項７】
前記遅角手段によって前記燃料噴射弁からの燃料噴射時期を遅角するときの遅角量を、前記圧縮着火内燃機関の負荷または回転数が高いほど大きくすることを特徴とする請求項５または６に記載の圧縮着火内燃機関の燃焼制御システム。
【発明の詳細な説明】
【技術分野】
【０００１】
本発明は、拡散燃焼と予混合燃焼とのうちいずれかの燃焼モードを圧縮着火内燃機関の運転状態に応じて選択して行う圧縮着火内燃機関の燃焼制御システムに関する。
【背景技術】
【０００２】
圧縮着火内燃機関（以下、単に内燃機関と称する）においては、排気をＥＧＲガスとして気筒内に供給することで燃焼温度を低下させ、それによって、ＮＯｘの生成量を抑制する技術が知られている。
【０００３】
また、このような場合、気筒内に供給されるＥＧＲガスの量が不足すると、過早着火が生じ、それによって燃焼騒音が大きくなる場合がある。そこで、内燃機関において燃焼騒音が一定レベル以上となった場合に、燃料噴射時期を遅角することで着火時期を遅角させ、それによって燃焼騒音を抑制する技術が開発された（例えば、特許文献１参照。）。
【０００４】
また、内燃機関において、拡散燃焼と予混合燃焼とのうちいずれかの燃焼モードをその運転状態に応じて選択して行うものが知られている。拡散燃焼は、圧縮行程上死点近傍の時期に燃料噴射を実行することで行われる。一方、予混合燃焼は、圧縮行程上死点近傍の時期よりも早い時期に燃料噴射を実行することで予混合気を形成させ、該予混合気が燃焼に供されることで行われる。
【０００５】
このとき、予混合燃焼時においては、予混合気が形成されるため過早着火が生じ易い。つまり、燃焼騒音の増加を招き易い。
【特許文献１】特開２０００−１２０４８７号公報
【特許文献２】特公平７−７８３７６号公報
【特許文献３】特開２００５−４８７４７号公報
【特許文献４】特開２００３−２８６８８０号公報
【特許文献５】特開平１１−１４８４１２号公報
【発明の開示】
【発明が解決しようとする課題】
【０００６】
本発明は、拡散燃焼と予混合燃焼とのうちいずれかの燃焼モードを圧縮着火内燃機関の運転状態に応じて選択して行う圧縮着火内燃機関において、予混合燃焼時の燃焼騒音をより好適に抑制することが可能な技術を提供することを目的とする。
【課題を解決するための手段】
【０００７】
本発明は、内燃機関において予混合燃焼が行われているときに燃焼騒音が所定上限値より大きくなったと判定された場合、内燃機関における燃料噴射時期を遅角するものである。
【０００８】
より詳しくは、本発明に係る内燃機関の燃焼制御システムは、
圧縮着火内燃機関から排出される排気をＥＧＲガスとして吸気系に導入するＥＧＲ装置と、
前記圧縮着火内燃機関の気筒内に燃料を噴射する燃料噴射弁と、を備え、
圧縮行程上死点近傍の時期に前記燃料噴射弁から燃料を噴射する拡散燃焼と、圧縮行程上死点近傍の時期よりも早い時期に燃料噴射を実行することで予混合気を形成させる予混合燃焼とのうちいずれかを前記圧縮着火内燃機関の運転状態に応じて選択して行う燃焼モード選択手段と、
前記圧縮着火内燃機関において予混合燃焼が行われているときは拡散燃焼が行われているときに比べて前記ＥＧＲ装置によって吸気系に導入されるＥＧＲガス量を多くすると共に、該ＥＧＲガス量をそれぞれの燃焼モードが行われているときの前記圧縮着火内燃機関の運転状態に基づいて制御するＥＧＲガス量制御手段と、
前記圧縮着火内燃機関において予混合燃焼が行われているときに、前記圧縮着火内燃機関での燃焼騒音が所定上限値より大きくなったか否かを判別する判定手段と、
該判定手段によって前記圧縮着火内燃機関での燃焼騒音が前記所定上限値より大きくなったと判定されたときに、前記燃料噴射弁からの燃料噴射時期を遅角する遅角手段と、
を備えることを特徴とする。
【０００９】
ここで、所定上限値とは、燃焼騒音の許容範囲の上限値以下の値であって、実験等によって予め定められた値である。この所定上限値を内燃機関の運転状態に応じて変更してもよい。
【００１０】
内燃機関においては、気筒内に供給されるＥＧＲガス量を増加させると該気筒内での燃料の燃焼を抑制することが出来、以って燃焼騒音を低減することが出来る。しかしながら、ＥＧＲガス量を増加させる制御を開始してから気筒内のＥＧＲガス量が実際に増加するまでにはある程度時間がかかる。
【００１１】
本発明によれば、予混合燃焼時であっても、燃料噴射弁からの燃料噴射時期を遅角することで過早着火を抑制し、これによって燃焼騒音を低減させる。従って、燃焼騒音をより速やかに低減させることが出来る。つまり、予混合燃焼時の燃焼騒音をより好適に抑制することが出来る。
【００１２】
燃料噴射時期を遅角させることで燃焼騒音を低減させる場合、燃料噴射時期の単位遅角量当たりの燃焼騒音の低下量（以下、騒音低下率と称する）は、遅角させる時点での燃料噴射時期に応じて異なった量となる。より詳しくは、遅角させる時点での燃料噴射時期が圧縮行程上死点から比較的離れた時期となっている場合、該燃料噴射時期が圧縮上死点に比較的近い時期となっている場合に比べて騒音低下率は小さい。
【００１３】
そこで、本発明では、遅角手段によって燃料噴射弁からの燃料噴射時期を遅角するときに騒音低下率に応じて該燃料噴射時期の遅角量を決定してもよい。この場合、遅角させるときの燃料噴射時期が騒音低下率の小さい時期にある場合は、該燃料噴射時期が騒音低下率の大きい時期にある場合に比べてその遅角量を大きくする。
【００１４】
これにより、燃焼騒音をより早期に低減させることが出来る。
【００１５】
予混合燃焼時は、圧縮行程上死点近傍の時期よりも早い時期であって圧縮行程上死点から比較的離れた時期に燃料噴射が実行される。つまり、予混合気を形成するために行われる燃料噴射は、通常、騒音低下率が比較的小さい時期に実行されている。
【００１６】
そこで、上記の場合において、遅角手段が、燃焼騒音が所定目標値以下となるまで燃料噴射時期を段階的に遅角するものである場合、燃料噴射時期を遅角するときに、先ず、騒音低下率が比較的大きくなる時期まで一段階目で遅角し、その後、一段階当たりの遅角量を小さくして燃焼騒音が所定目標値以下となるまで燃料噴射時期を段階的に遅角してもよい。
【００１７】
ここで、所定目標値は、燃焼騒音の許容範囲内の値であり、且つ、燃焼騒音が該所定目標値であれば燃料噴射時期が失火の可能性は低い時期となっていると判断出来る値である。この所定目標値は実験等によって予め定められている。また、この所定目標値を内燃機
関の運転状態に基づいて変更してもよい。
【００１８】
これによれば、燃料噴射時期を段階的に遅角するときに、一段階目で騒音低下率が比較的大きい時期まで遅角することで、燃焼騒音をより早期に低減させることが出来る。また、燃料噴射時期を騒音低下率が比較的大きい時期まで遅角した後は、一段階当たりの遅角量を小さくして燃料噴射時期を段階的に遅角することで、燃焼騒音を所定目標値により精度よく制御することが出来る。
【００１９】
また、遅角手段が、燃焼騒音が所定目標値以下となるまで燃料噴射時期を段階的に遅角するものである場合、燃料噴射時期を遅角するときに、判定手段によって前記圧縮着火内燃機関での燃焼騒音が所定上限値より大きくなったと判定された時点での燃料噴射時期が早いほど、一段階目の遅角量を大きくしてもよい。
【００２０】
これによっても、燃料噴射時期を、騒音低下率が比較的大きい時期までより早期に遅角させることが出来る。従って、燃焼騒音をより早期に低減させることが出来る。
【００２１】
上述したように、燃焼騒音が所定上限値より大きくなったと判定された場合、気筒に流入するＥＧＲガス量を増加させることによっても燃焼騒音を低減させることが出来る。そこで、本発明において、判定手段によって内燃機関での燃焼騒音が所定上限値より大きくなったと判定されたときは、燃料噴射時期を遅角させると共に、ＥＧＲ装置によって吸気系に導入されるＥＧＲガス量を増加させてもよい。
【００２２】
この場合、ＥＧＲガス量の増加が開始されてから気筒内のＥＧＲガス量が実際に増加するまでの間は燃料噴射時期が遅角されることで燃焼騒音が低下する。そして、気筒内のＥＧＲガス量が実際に増加し始めると燃焼騒音の低下がさらに促進されることになる。このように燃焼騒音の低下がさらに促進されると燃焼騒音が所定目標値よりもさらに低下する場合がある。
【００２３】
そこで、燃料噴射時期を遅角すると共にＥＧＲガス量を増加させることで燃焼騒音が所定下限値より小さくなったときに燃料噴射時期を段階的に進角させる進角手段をさらに備えてもよい。
【００２４】
ここで、所定下限値は、所定目標値よりも小さい値であって、燃焼騒音が過剰に低下していると判断出来る閾値となる値である。この所定下限値は実験等によって予め定められている。この所定下限値を内燃機関の運転状態に基づいて変更してもよい。
【００２５】
このとき、気筒内のＥＧＲガス量が不十分なときは、進角手段によって燃料噴射時期を進角させると燃焼騒音が増加する。しかしながら、気筒内のＥＧＲガス量が十分な量にまで増加すると、進角手段によって燃料噴射時期を進角させても過早着火が生じなくなるため燃焼騒音が変化しなくなる。
【００２６】
また、予混合燃焼時において、燃焼騒音を低減させるべく燃料噴射時期を遅角させた場合、予混合気の形成が不十分な状態となり排気エミッションの悪化を招く虞がある。
【００２７】
そこで、上記において、進角手段によって燃料噴射時期を進角させても燃焼騒音が変化しない状態となったときは、燃料噴射時期を内燃機関の運転状態に基づいて設定される時期に直ちに戻してもよい。
【００２８】
これによれば、気筒内のＥＧＲガス量が十分に増加すると、燃料噴射時期が内燃機関の運転状態に基づいて設定される時期に直ちに戻される。従って、排気エミッションの悪化
を抑制することが出来る。
【００２９】
ＥＧＲガスにはＣＯ２やＨ２Ｏのような気筒内での燃料の燃焼を抑制する燃焼抑制成分が含まれている。そして、気筒内に流入する吸気における燃焼抑制成分の濃度が過剰に低くなると過早着火が生じ、それによって燃焼騒音が増加する。
【００３０】
そこで、本発明においては、ＥＧＲガスを含んだ吸気における燃焼抑制成分の濃度を検出する燃焼抑制成分濃度検出手段をさらに備えてもよい。そして、この場合、判定手段は、内燃機関において予混合燃焼が行われているときに、該燃焼抑制成分濃度検出手段によって検出される燃焼抑制成分の濃度を所定の目標抑制成分濃度から減算した値が所定の抑制成分濃度差より大きくなった場合、内燃機関での燃焼騒音が前記所定上限値より大きくなったと判定してもよい。
【００３１】
ここで、所定の目標抑制成分濃度は、吸気における燃焼抑制成分の濃度が該目標抑制成分濃度であれば、燃焼騒音が所定目標値となると判断出来る値である。また、所定の抑制成分濃度差は、燃焼騒音が所定上限値より大きくなったと判定出来る閾値となる値である。これらの値は実験等によって予め定められた値である。また、これらの値を内燃機関の運転状態に基づいて変更してもよい。
【００３２】
また、上記の場合において燃料噴射時期を遅角するときの遅角量を、燃焼抑制成分濃度検出手段によって検出される燃焼抑制成分の濃度を所定の目標抑制成分濃度から減算した値に基づいて決定してもよい。
【００３３】
これにより、より早期に且つより精度良く燃焼騒音を所定目標値にまで低減することが出来る。
【００３４】
また、気筒内に流入する吸気における燃焼抑制成分の濃度が増加すると該吸気のＯ２濃度は低下し、該吸気における燃焼抑制成分の濃度が低下すると該吸気のＯ２濃度は上昇する。
【００３５】
そこで、本発明においては、ＥＧＲガスを含んだ吸気におけるＯ２濃度を検出するＯ２濃度検出手段をさらに備えてもよい。そして、この場合、判定手段は、内燃機関において予混合燃焼が行われているときに、Ｏ２濃度検出手段によって検出されるＯ２濃度から所定の目標Ｏ２濃度を減算した値が所定のＯ２濃度差より大きくなった場合に、内燃機関での燃焼騒音が所定上限値より大きくなったと判定してもよい。
【００３６】
ここで、所定の目標Ｏ２濃度は、吸気におけるＯ２濃度が該目標Ｏ２濃度であれば、燃焼騒音が所定目標値となると判断出来る値である。また、所定のＯ２濃度差は、燃焼騒音が所定上限値より大きくなったと判定出来る閾値となる値である。これらの値は実験等によって予め定められた値である。また、これらの値を内燃機関の運転状態に基づいて変更してもよい。
【００３７】
また、上記の場合において燃料噴射時期を遅角するときの遅角量を、Ｏ２濃度検出手段によって検出されるＯ２濃度から所定の目標Ｏ２濃度を減算した値に基づいて決定してもよい。
【００３８】
これによっても、前記と同様、より早期に且つより精度良く燃焼騒音を所定目標値にまで低減することが出来る。
【００３９】
さらに、上記のように、燃焼抑制成分濃度検出手段によって検出される燃焼抑制成分の
濃度を所定の目標燃焼抑制成分濃度から減算した値、もしくは、Ｏ２濃度検出手段によって検出されるＯ２濃度から所定の目標Ｏ２濃度を減算した値に基づいて燃料噴射時期の遅角量を決定する場合においては、さらに、内燃機関の負荷または回転数が高いほど該遅角量を大きくしてもよい。
【００４０】
これにより、燃焼騒音をより精度良く所定目標値に制御することが出来る。
【発明の効果】
【００４１】
本発明によれば、拡散燃焼と予混合燃焼とのうちいずれかの燃焼モードを圧縮着火内燃機関の運転状態に応じて選択して行う内燃機関において、予混合燃焼時の燃焼騒音をより好適に抑制することが出来る。
【発明を実施するための最良の形態】
【００４２】
以下、本発明に係る圧縮着火内燃機関の燃焼制御システムの具体的な実施形態について図面に基づいて説明する。
【００４３】
＜実施例１＞
＜内燃機関およびその吸排気系の概略構成＞
図１は、本実施例に係る内燃機関およびその吸排気系の概略構成を示す図である。内燃機関１は車両駆動用のディーゼルエンジンである。内燃機関１の気筒２内にはピストン３が摺動自在に設けられている。気筒２内上部の燃焼室には、吸気ポート４と排気ポート５とが接続されている。
【００４４】
吸気ポート４および排気ポート５の燃焼室への開口部は、それぞれ吸気弁６および排気弁７によって開閉される。吸気ポート４および排気ポート５は、それぞれ吸気通路８および排気通路９に接続されている。また、気筒２には燃焼室に燃料を直接噴射する燃料噴射弁１０が設けられている。
【００４５】
また、内燃機関１は、排気通路９を流れる排気の一部をＥＧＲガスとして吸気通路８に導入するＥＧＲ装置１１を備えている。ＥＧＲ装置１１は、吸気通路８と排気通路９とを連通するＥＧＲ通路１２を有している。ＥＧＲ通路１２には、ＥＧＲガスの流量を制御するＥＧＲ弁１３が設けられている。
【００４６】
以上述べたように構成された内燃機関１には電子制御ユニット（ＥＣＵ）２０が併設されている。ＥＣＵ２０には、ノックセンサ１４およびアクセル開度センサ１５、クランクポジションセンサ１６が電気的に接続されている。ノックセンサ１４は気筒２内での燃焼によって生じる振動を検出する。アクセル開度センサ１５は内燃機関１を搭載した車両のアクセル開度を検出する。クランクポジションセンサ１６は内燃機関１のクランク角を検出する。これらの出力値がＥＣＵ２０に入力される。
【００４７】
そして、ＥＣＵ２０はノックセンサ１４の出力値に基づいて内燃機関１での燃焼騒音を算出する。また、ＥＣＵ２０はアクセル開度センサ１５の検出値に基づいて内燃機関１の負荷を推定する。また、ＥＣＵ２０はクランクポジションセンサ１６の検出値に基づいて内燃機関１の回転数を算出する。
【００４８】
さらに、ＥＣＵ２０には、燃料噴射弁１０およびＥＧＲ弁１３が電気的に接続されている。ＥＣＵ２０によってこれらが制御される。
【００４９】
＜燃焼モード＞
本実施例に係る内燃機関１では、拡散燃焼と予混合燃焼とのうちいずれかの燃焼モード
が運転状態に応じて選択されて行われる。図２は、内燃機関１の運転状態と該内燃機関１における燃焼モードとの関係を示す図である。図２において、横軸は内燃機関１の回転数を表し、縦軸は内燃機関１の負荷を表している。図２において、Ｒ１で示される低負荷低回転側の領域が、予混合燃焼が行われる予混合燃焼領域である。また、図２において、Ｒ２で示される高負荷側および高回転側の領域が、拡散燃焼が行われる拡散燃焼領域である。
【００５０】
拡散燃焼は、圧縮行程上死点近傍の時期に燃料噴射弁１０からの燃料噴射を実行することで行われる。また、予混合燃焼は、圧縮行程上死点近傍の時期よりも早い時期に燃料噴射弁１０からの燃料噴射を実行することで、燃焼に供される予混合気を形成させて行われる。
【００５１】
また、本実施例では、排気通路９を流れる排気の一部がＥＧＲガスとしてＥＧＲ装置１１によって吸気通路８に導入される。このＥＧＲガスが吸入空気と共に気筒２内に流入する。予混合燃焼時においては、予混合気が形成されるため拡散燃焼時に比べて過早着火が生じ易い。そのため、予混合燃焼時は拡散燃焼時よりも多くのＥＧＲガスが気筒２内に供給される。
【００５２】
一方、気筒２内に供給されるＥＧＲガスが過剰に増加すると失火が生じる虞がある。そのため、ＥＧＲガス量は内燃機関１の運転状態に応じて制御される。ところが、内燃機関１の運転状態の急激な変化等により、気筒２内に供給されるＥＧＲガス量が不足し、それによって、燃焼騒音が大きくなる場合がある。
【００５３】
＜燃焼騒音低減制御＞
内燃機関１での燃焼騒音が大きくなった場合、ＥＧＲガス量を増加させることで、該燃焼騒音を低減することが出来る。しかしながら、ＥＧＲガス量を増加させるべくＥＧＲ弁１３の開度を増加させてから気筒２内のＥＧＲガス量が実際に増加するまでにはある程度の時間がかかる。
【００５４】
そこで、本実施例においては、内燃機関１において予混合燃焼が行われているときに、燃焼騒音が所定上限値より大きくなった場合、ＥＧＲガス量を増加させると共に燃料噴射弁１０からの燃料噴射時期を遅角する。以下、この制御を燃焼騒音低減制御と称する。
【００５５】
ここで、所定上限値とは、燃焼騒音の許容範囲の上限値であって、実験等によって予め定められた値である。尚、この所定上限値は内燃機関１の運転状態に応じて変更される。
【００５６】
燃料噴射時期を遅角することで気筒２内での燃料の着火時期を遅角することが出来る。即ち、過早着火の発生を抑制出来る。また、燃料噴射時期は、燃焼騒音が所定上限値より大きくなったときに直ちに遅角することが出来る。従って、本実施例によれば、予混合燃焼時に燃焼騒音が所定上限値を超えたときに該燃焼騒音をより速やかに低減させることが出来る。
【００５７】
＜燃料噴射時期の遅角量＞
ここで、燃焼騒音低減制御における燃料噴射時期の遅角量について図３に基づいて説明する。図３は、燃料噴射時期の変化に伴う燃焼騒音の変化を示す図である。図３において、横軸は燃料噴射時期を表し、縦軸は燃焼騒音を表している。
【００５８】
図３において、一点鎖線は圧縮行程上死点ＴＤＣの時期を表している。また、図３において、（ａ）から（ｂ）までの間の時期が、予混合燃焼時における通常の燃料噴射時期（つまり、燃焼騒音低減制御を実行していないときの予混合燃焼時における燃料噴射時期）
を表している。
【００５９】
図３に示すように、燃料噴射時期の単位遅角量当たりの燃焼騒音の低下量である騒音低下率は、遅角させる時点での燃料噴射時期に応じて異なった量となっている。より詳しくは、圧縮行程上死点ＴＤＣから比較的離れた時期である（ｃ）の時期以前では騒音低下率は小さくなっている。そして、圧縮行程上死点ＴＤＣに比較的近い時期となる（ｃ）の時期以降では騒音低下率が大きくなっている。
【００６０】
従って、燃料噴射時期が（ａ）から（ｂ）までの間の時期となっている予混合燃焼が行われているときに燃焼騒音が所定上限値より大きくなった場合、燃料噴射時期を遅角しても、遅角後の燃料噴射時期が（ｃ）より前の時期であれば燃焼騒音はほとんど低下しない。
【００６１】
そこで、本実施例に係る燃焼騒音低減制御では、先ず、燃料噴射時期を騒音低下率が上昇し始める（ｃ）の時期まで遅角する。以下、（ｃ）の時期を低下率上昇開始時期と称する。この低下率上昇開始時期は実験等によって予め求めることが出来る。
【００６２】
そして、燃料噴射時期を低下率上昇開始時期まで遅角した後は、燃焼騒音が所定目標値となるまで燃料噴射時期を徐々に遅角する。ここで、所定目標値は、燃焼騒音の許容範囲内の値であり、且つ、燃焼騒音が該所定目標値であれば燃料噴射時期が失火の可能性は低い時期となっていると判断出来る値である。この所定目標値は実験等によって予め定められている。尚、この所定目標値は内燃機関１の運転状態に基づいて変更される。
【００６３】
つまり、本実施例では、予混合燃焼時に燃焼騒音を低減させるべく燃料噴射時期を遅角する場合、燃焼騒音が所定目標値となるまで燃料噴射時期を段階的に遅角させる。そして、このときに、低下率上昇開始時期までは一段階目で遅角させる。これにより、燃焼騒音が所定上限値より大きくなったと判定された時点での燃料噴射時期が早いほど、一段階目の燃料噴射時期の遅角量が大きくなる。
【００６４】
そして、燃料噴射時期を低下率上昇開始時期まで遅角した後は、一段階当たりの遅角量を小さくして燃焼騒音が所定目標値以下となるまで段階的に遅角する。
【００６５】
以上のように燃料噴射時期を騒音低下率に応じて段階的に遅角することで、燃焼騒音をより早期に低減させることが出来る。また、燃焼騒音を所定目標値により精度よく制御することが出来る。
【００６６】
ここで、燃焼騒音低減制御のルーチンについて図４に示すフローチャートに基づいて説明する。本ルーチンは、ＥＣＵ２０に予め記憶されており、所定の間隔で繰り返し実行されるルーチンである。
【００６７】
本ルーチンでは、ＥＣＵ２０は、先ずＳ１０１において、内燃機関１の燃焼モードが予混合燃焼であるか否かを判別する。Ｓ１０１において、肯定判定された場合、ＥＣＵ２０はＳ１０２に進み、否定判定された場合、ＥＣＵ２０は本ルーチンの実行を終了する。
【００６８】
Ｓ１０２において、ＥＣＵ２０は、現時点での燃焼騒音Ｎｃが所定上限値Ｎｃ１より大きいか否かを判別する。Ｓ１０２において、肯定判定された場合、ＥＣＵ２０はＳ１０３に進み、否定判定された場合、ＥＣＵ２０は本ルーチンの実行を終了する。
【００６９】
Ｓ１０３において、ＥＣＵ２０は、燃料噴射弁１０による燃料噴射時期ｔｉｎｊを図３における低下率上昇開始時期（ｃ）まで遅角する。
【００７０】
次に、ＥＣＵ２０は、Ｓ１０４に進み、燃料噴射時期ｔｉｎｊを所定遅角量Δｔｄｅ分さらに遅角する。ここで、所定遅角量Δｔｄｅは、図３における（ｂ）から（ｃ）までの間よりも小さい量であって、燃料噴射時期ｔｉｎｊを遅角する際に最小の単位遅角量となる値である。
【００７１】
次に、ＥＣＵ２０は、Ｓ１０５に進み、現時点での燃焼騒音Ｎｃが所定目標値Ｎｃｔ以下まで低減されたか否かを判別する。Ｓ１０５において、肯定判定された場合、ＥＣＵ２０はＳ１０６に進む。一方、Ｓ１０５において、否定判定された場合、ＥＣＵ２０はＳ１０４に戻り、燃料噴射時期ｔｉｎｊをさらに所定遅角量Δｔｄｅ分遅角する。
【００７２】
Ｓ１０６において、ＥＣＵ２０は、燃料噴射時期ｔｉｎｊのそれ以上の遅角を停止し、本ルーチンの実行を終了する。
【００７３】
以上説明したルーチンによれば、予混合燃焼時において燃焼騒音Ｎｃが所定上限値Ｎｃ１より大きくなったときは、燃料噴射時期ｔｉｎｊが先ず低下率上昇開始時期（ｃ）まで遅角され、その後、燃焼騒音Ｎｃが所定目標値Ｎｃｔとなるまで徐々に遅角される。
【００７４】
尚、本実施例に係る燃焼騒音低減制御において、燃料噴射弁１０からの燃料噴射時期を遅角させた場合、内燃機関１のトルクが低下する場合がある。この場合、該トルクの低下を抑制するために燃料噴射量を増加させてもよい。
【００７５】
この場合、燃料噴射時期を遅角させた後の気筒２内での燃料の着火時期を、ノックセンサ１４や内燃機関１の回転数の変化等に基づいて検出する。そして、燃料噴射時期を遅角させる前の時点と後の時点との着火時期の変化分に基づいて内燃機関１のトルク低下量を算出する。そして、算出されたトルク低下量に基づいて燃料噴射量の増加量を決定する。
【００７６】
＜燃料噴射時期復帰制御＞
上述したように、本実施例に係る燃焼騒音低減制御では、燃焼騒音が所定上限値より大きくなると、燃料噴射弁１０からの燃料噴射時期が遅角されると共にＥＧＲガス量が増加される。この場合、ＥＧＲガス量を増加させるべくＥＧＲ弁１３の開度が増加されてから気筒２内のＥＧＲガス量が実際に増加するまでの間は燃料噴射時期が遅角されることで燃焼騒音が低下する。そして、実際に気筒２内のＥＧＲガス量が増加し始めると燃焼騒音の低下がさらに促進されることになる。このように燃焼騒音の低下がさらに促進されると燃焼騒音が所定目標値よりもさらに低下する場合がある。
【００７７】
そこで、本実施例では、燃料噴射時期を遅角すると共にＥＧＲガス量を増加させることで燃焼騒音が所定下限値より小さくなったときは、燃料噴射弁１０からの燃料噴射時期の遅角を終了し、逆に該燃料噴射時期を段階的に進角する。以下、この制御を燃料噴射時期復帰制御と称する。
【００７８】
ここで、所定下限値は、所定目標値よりも小さい値であって、燃焼騒音が過剰に低下していると判断出来る閾値となる値である。この所定下限値は実験等によって予め定められている。この所定下限値を内燃機関１の運転状態に基づいて変更してもよい。
【００７９】
燃料噴射時期復帰制御の実行時において、気筒２内のＥＧＲガス量が不十分なときは、燃料噴射時期を進角させると燃焼騒音が増加する。しかしながら、気筒２内のＥＧＲガス量が十分な量にまで増加すると、燃料噴射時期を進角させても過早着火が生じなくなるため燃焼騒音が変化しなくなる。
【００８０】
また、予混合燃焼時において、燃焼騒音を低減させるべく燃料噴射時期を遅角させた場合、予混合気の形成が不十分な状態となり排気エミッションの悪化を招く虞がある。
【００８１】
そこで、本実施例に係る燃料噴射時期復帰制御では、燃料噴射時期を進角するときに、先ず、一段階当たりの進角量を所定進角量として徐々に進角する。ここで、所定進角量は、燃料噴射時期を進角する際に最小の単位進角量となる値である。
【００８２】
その後、燃料噴射時期を進角させても燃焼騒音が変化しない、即ち、燃焼騒音が増加しない状態となったときは、燃料噴射時期を内燃機関１の運転状態に基づいて設定される時期に直ちに進角する。
【００８３】
これによれば、気筒２内のＥＧＲガス量が十分に増加すると、燃料噴射時期が内燃機関１の運転状態に基づいて設定される時期に直ちに戻される。つまり、燃料噴射時期が、排気エミッションが悪化する虞がある時期に留まることが抑制される。従って、排気エミッションの悪化を抑制することが出来る。
【００８４】
ここで、燃料噴射時期復帰制御のルーチンについて図５に示すフローチャートに基づいて説明する。本ルーチンは、ＥＣＵ２０に予め記憶されており、所定の間隔で繰り返し実行されるルーチンである。
【００８５】
本ルーチンでは、ＥＣＵ２０は、先ずＳ２０１において、内燃機関１の燃焼モードが予混合燃焼であるか否かを判別する。Ｓ２０１において、肯定判定された場合、ＥＣＵ２０はＳ２０２に進み、否定判定された場合、ＥＣＵ２０は本ルーチンの実行を終了する。
【００８６】
Ｓ２０２において、ＥＣＵ２０は、燃焼騒音低減制御が実行されているか否かを判別する。即ち、燃料噴射弁１０からの燃料噴射時期が通常の時期よりも遅角されており、且つ、ＥＧＲガス量が増加されているか否かを判別する。Ｓ２０２において、肯定判定された場合、ＥＣＵ２０はＳ２０３に進み、否定判定された場合、ＥＣＵ２０は本ルーチンの実行を終了する。
【００８７】
Ｓ２０３において、ＥＣＵ２０は、燃焼騒音Ｎｃが所定下限値Ｎｃ２よりも小さいか否かを判別する。Ｓ２０３において、肯定判定された場合、ＥＣＵ２０はＳ２０４に進み、否定判定された場合、ＥＣＵ２０は本ルーチンの実行を終了する。
【００８８】
Ｓ２０４において、ＥＣＵ２０は、燃料噴射時期ｔｉｎｊを現時点の時期から所定進角量Δｔａｄ分進角する。
【００８９】
次に、ＥＣＵ２０は、Ｓ２０５に進み、現時点の燃焼騒音からＳ２０４において燃料噴射時期ｔｉｎｊを進角する前の時点での燃焼騒音を減算した値、即ち、燃料噴射時期ｔｉｎｊを所定進角量Δｔａｄ分進角することによる燃焼騒音の増加量ΔＮｃが所定増加量ΔＮｃ０以下であるか否かを判別する。ここで、所定増加量ΔＮｃ０は、略零の値であって、燃焼騒音の増加量ΔＮｃが該所定増加量ΔＮｃ０以下であれば燃焼騒音はほとんど増加していないと判断出来る閾値である。Ｓ２０５において、肯定判定された場合、ＥＣＵ２０はＳ２０６に進む。一方、Ｓ２０５において、否定判定された場合、ＥＣＵ２０はＳ２０４に戻り、燃料噴射時期ｔｉｎｊをさらに所定進角量Δｔａｄ分進角する。
【００９０】
Ｓ２０６において、ＥＣＵ２０は燃料噴射時期ｔｉｎｊを、内燃機関１の運転状態に基づいて設定される時期ｔｉｎｊ０（図３における（ａ）から（ｂ）までの間の時期）まで直ちに進角する。その後、ＥＣＵ２０は本ルーチンの実行を終了する。
【００９１】
以上説明したルーチンによれば、燃焼騒音低減制御が実行されることで、気筒２内のＥＧＲガス量が十分に増加すると（即ち、気筒２内のＥＧＲガス量が、燃料噴射時期を遅角させなくとも燃焼騒音を抑えることが出来る量にまで増加すると）、燃料噴射時期ｔｉｎｊが内燃機関１の運転状態に基づいて設定される時期ｔｉｎｊ０（即ち、通常の予混合燃焼時の燃料噴射時期）に直ちに戻される。
【００９２】
＜実施例２＞
＜内燃機関およびその吸排気系の概略構成＞
図６は、本実施例に係る内燃機関およびその吸排気系の概略構成を示す図である。本実施例では、実施例１におけるノックセンサ１４に代えて、吸気のＣＯ２濃度を検出するＣＯ２センサ１７が設けられている。ＣＯ２センサ１７は、吸気通路８におけるＥＧＲ通路１２との接続部よりも下流側に設置されている。つまり、ＣＯ２センサは、ＥＧＲガスを含む吸気のＣＯ２濃度を検出する。これ以外の構成は実施例１と同様であるため、同様の構成要素には同様の参照番号を付してその説明を省略する。
【００９３】
＜燃焼騒音抑制制御＞
ＥＧＲガスにはＣＯ２やＨ２Ｏのような気筒２内での燃料の燃焼を抑制する燃焼抑制成分が含まれている。そして、気筒２内に流入する吸気における燃焼抑制成分の濃度が過剰に低くなると過早着火が生じ、それによって燃焼騒音が増加する。
【００９４】
そこで、本実施例に係る燃焼騒音抑制制御では、ＣＯ２センサによって検出される吸気のＣＯ２濃度に基づいて、燃焼騒音が上述した所定上限値より大きくなっているか否かを判別する。また、燃焼騒音が所定上限値より大きくなった場合は、該ＣＯ２濃度に基づいて燃料噴射弁１０からの燃料噴射時期を遅角する。
【００９５】
以下、本実施例に係る燃焼騒音低減制御のルーチンについて、図７に示すフローチャートに基づいて説明する。本ルーチンは、ＥＣＵ２０に予め記憶されており、所定の間隔で繰り返し実行されるルーチンである。
【００９６】
本ルーチンでは、ＥＣＵ２０は、先ずＳ３０１において、内燃機関１の燃焼モードが予混合燃焼であるか否かを判別する。Ｓ３０１において、肯定判定された場合、ＥＣＵ２０はＳ３０２に進み、否定判定された場合、ＥＣＵ２０は本ルーチンの実行を終了する。
【００９７】
Ｓ３０２において、ＥＣＵ２０は、ＣＯ２センサ１７によって検出される現時点の吸気のＣＯ２濃度から目標ＣＯ２濃度を減算したＣＯ２濃度差ΔＲＣＯ２を算出する。ここで、目標ＣＯ２濃度は、吸気のＣＯ２濃度が該目標ＣＯ２濃度であれば、燃焼騒音が所定目標値となると判断出来る値である。この目標ＣＯ２濃度は、燃焼騒音の所定目標値と同様、内燃機関１の運転状態に基づいて変更される。
【００９８】
次に、ＥＣＵ２０は、Ｓ３０３に進み、Ｓ３０２において算出されたＣＯ２濃度差ΔＲＣＯ２が所定ＣＯ２濃度差ΔＲ０よりも大きいか否かを判別する。ここで、所定ＣＯ２濃度差ΔＲ０は、ＣＯ２濃度差ΔＲＣＯ２が該所定ＣＯ２濃度差ΔＲ０より大きくなると燃焼騒音が所定上限値より大きくなったと判定出来る閾値となる値である。この所定ＣＯ２濃度差ΔＲ０は、内燃機関１の運転状態に基づいて変更される。Ｓ３０３において、肯定判定された場合、ＥＣＵ２０は、燃焼騒音を低減させるべく燃料噴射時期ｔｉｎｊを遅角する必要があると判断し、Ｓ３０４に進む。一方、Ｓ３０３において、否定判定された場合、ＥＣＵ２０は本ルーチンの実行を終了する。
【００９９】
Ｓ３０４において、ＥＣＵ２０は、燃料噴射時期ｔｉｎｊの遅角量Δｔｄｅ_ｆをＣＯ
２濃度差ΔＲＣＯ２に基づいて算出する。本実施例においては、図８に示すような、遅角
量Δｔｄｅ_ｆを算出するための関数ｆ（ΔＲＣＯ２）がＥＣＵ２０に予め記憶されてい
る。そして、この関数ｆ（ΔＲＣＯ２）によって遅角量Δｔｄｅ_ｆが算出される。
【０１００】
ここで、関数ｆ（ΔＲＣＯ２）について説明する。図８において、横軸はＣＯ２濃度差ΔＲＣＯ２を表しており、縦軸は燃料噴射時期ｔｉｎｊの遅角量Δｔｄｅ_ｆを表してい
る。関数ｆ（ΔＲＣＯ２）は、燃料噴射時期ｔｉｎｊを該関数によって算出される遅角量Δｔｄｅ_ｆだけ遅角することで、燃焼騒音が所定目標値にまで低減されるように、実験
等によって予め求められたものである。
【０１０１】
図８に示すように、関数ｆ（ΔＲＣＯ２）によれば、ＣＯ２濃度差ΔＲＣＯ２が所定ＣＯ２濃度差ΔＲ０を超えるまでは、燃料噴射時期ｔｉｎｊの遅角量Δｔｄｅ_ｆは零とな
っている。そして、ＣＯ２濃度差ΔＲＣＯ２が所定ＣＯ２濃度差ΔＲ０を超えた時点での燃料噴射時期ｔｉｎｊの遅角量Δｔｄｅ_ｆは初期遅角量Δｔｄｅ_ｆ１となっている。
【０１０２】
この初期遅角量Δｔｄｅ_ｆ１は、燃料噴射時期ｔｉｎｊが予混合燃焼時の通常の燃料
噴射時期（図３の（ａ）から（ｂ）までの間の時期）であるときに、該初期遅角量Δｔｄｅ_ｆ１だけ遅角されると、燃料噴射時期ｔｉｎｊが上述した低下率上昇開始時期（図３
の（ｃ）の時期）となる遅角量である。この初期遅角量Δｔｄｅ_ｆ１は、ＣＯ２濃度差
ΔＲＣＯ２が所定ＣＯ２濃度差ΔＲ０を超えた時点での燃料噴射時期ｔｉｎｊに応じて変更される。
【０１０３】
また、関数ｆ（ΔＲＣＯ２）によれば、ＣＯ２濃度差ΔＲＣＯ２が所定ＣＯ２濃度差ΔＲ０を超えてさらに大きくなると、遅角量Δｔｄｅ_ｆも初期遅角量Δｔｄｅ_ｆ１からさらに大きくなる。このとき、遅角量Δｔｄｅ_ｆはＣＯ２濃度差ΔＲＣＯ２の増加に伴っ
て徐々に大きくなっている。また、このときのＣＯ２濃度差ΔＲＣＯ２の単位増加量当たりの遅角量Δｔｄｅ_ｆの増加量は、上述した図３における低下率上昇開始時期以降の燃
焼騒音低下率に応じた量となっている。
【０１０４】
ＥＣＵ２０は、Ｓ３０４の次にＳ３０５に進み、Ｓ３０４において算出された遅角量Δｔｄｅ_ｆだけ燃料噴射時期を遅角する。その後、ＥＣＵ２０は本ルーチンの実行を終了
する。
【０１０５】
本実施例によれば、燃料噴射時期ｔｉｎｊの遅角量Δｔｄｅ_ｆとＣＯ２濃度差ΔＲＣ
Ｏ２との関係が関数ｆ（ΔＲＣＯ２）として予めＥＣＵ２０に記憶されている。そして、予混合燃焼時において燃焼騒音を低減する必要があるときは、該関数ｆ（ΔＲＣＯ２）に基づいて遅角量Δｔｄｅ_ｆが算出され、該遅角量Δｔｄｅ_ｆに応じて燃料噴射時期ｔｉｎｊが遅角される。
【０１０６】
これにより、燃焼騒音を、より早期に、また、より精度よく、所定目標値に制御することが出来る。
【０１０７】
尚、本実施例に係る燃焼騒音低減制御においては、ＥＧＲガスを含んだ吸気のＣＯ２濃度に基づいて燃焼騒音が所定上限値をより大きいか否かを判別し、さらに、該ＣＯ２濃度に基づいて燃料噴射時期の遅角量を算出したが、ＥＧＲガスを含んだ吸気のＨ２Ｏ濃度に基づいて同様の制御を行ってもよい。
【０１０８】
また、気筒２内に流入する吸気におけるＣＯ２濃度（または、Ｈ２Ｏ濃度）が上昇すると該吸気のＯ２濃度は低下し、該吸気におけるＣＯ２濃度（または、Ｈ２Ｏ濃度）が低下すると該吸気のＯ２濃度は上昇する。そこで、ＥＧＲガスを含んだ吸気のＯ２濃度に基づいて燃焼騒音が所定上限値をより大きいか否かを判別してもよい。また、このときに、該
Ｏ２濃度に基づいて燃料噴射時期の遅角量を算出してもよい。
【０１０９】
この場合、図６におけるＣＯ２センサが設けられている位置にＯ２センサを設置する。そして、予混合燃焼時において、Ｏ２センサによって検出されるＯ２濃度から目標Ｏ２濃度を減算したＯ２濃度差が所定Ｏ２濃度差よりも大きくなった場合、燃焼騒音が所定上限値より大きくなったと判定する。
【０１１０】
ここで、目標Ｏ２濃度は、吸気におけるＯ２濃度が該目標Ｏ２濃度であれば、燃焼騒音が所定目標値となると判断出来る値である。また、所定Ｏ２濃度差は、燃焼騒音が所定上限値より大きくなったと判定出来る閾値となる値である。これらの値は、上記目標ＣＯ２濃度および所定ＣＯ２濃度差と同様、内燃機関１の運転状態に基づいて変更される。
【０１１１】
また、上記のように燃焼騒音が所定上限値より大きくなったと判定された場合、Ｏ２濃度差に基づいて燃料噴射時期の遅角量を算出する。このとき、Ｏ２濃度差と燃料噴射時期の遅角量との関係は、図８に示すＣＯ２濃度差と燃料噴射時期の遅角量との関係と同様である。そして、算出された遅角量に応じて燃料噴射時期を遅角する。
【０１１２】
これによっても、燃焼騒音を、より早期に、また、より精度よく、所定目標値に制御することが出来る。
【０１１３】
また、内燃機関１においては、負荷が高いほど、また、回転数が高いほど、気筒２内での燃料の燃焼は促進され易い。そのため、予混合燃焼時において燃焼騒音を低減すべく燃料噴射時期を遅角する場合、内燃機関１の負荷が高いほど、また、内燃機関１の回転数が高いほど、燃料噴射時期をより遅角する必要がある。
【０１１４】
そこで、本実施に係る関数ｆ（ΔＲＣＯ２）において、内燃機関１の負荷が高いほど、また、内燃機関１の回転数が高いほど、初期遅角量Δｔｄｅ_ｆ１を大きくしてもよい。
また、該関数ｆ（ΔＲＣＯ２）において、ＣＯ２濃度差ΔＲＣＯ２が所定ＣＯ２濃度差ΔＲ０より大きい領域でのＣＯ２濃度差ΔＲＣＯ２の単位増加量当たりの遅角量Δｔｄｅ_
ｆの増加量を、内燃機関１の回転数が高いほど大きくしてもよい。
【０１１５】
これによれば、燃焼騒音をより精度良く所定目標値に制御することが出来る。
【０１１６】
上記実施例は、本発明の主旨を逸脱しない限り組み合わせることが出来る。
【図面の簡単な説明】
【０１１７】
【図１】実施例１に係る内燃機関およびその吸排気系の概略構成を示す図。
【図２】内燃機関の運転状態と該内燃機関における燃焼モードとの関係を示す図。
【図３】燃料噴射時期の変化に伴う燃焼騒音の変化を示す図。
【図４】実施例１に係る燃焼騒音低減制御のルーチンを示すフローチャート。
【図５】実施例１に係る燃料噴射時期復帰制御のルーチンを示すフローチャート。
【図６】実施例２に係る内燃機関およびその吸排気系の概略構成を示す図
【図７】実施例２に係る燃焼騒音低減制御のルーチンを示すフローチャート。
【図８】実施例２に係る遅角量を算出するための関数ｆ（ΔＲＣＯ２）を示すグラフ。
【符号の説明】
【０１１８】
１・・・内燃機関
２・・・気筒
８・・・吸気通路
９・・・排気通路
１０・・燃料噴射弁
１１・・ＥＧＲ装置
１２・・ＥＧＲ通路
１３・・ＥＧＲ弁
１４・・ノックセンサ
１５・・アクセル開度センサ
１６・・クランクポジションセンサ
１７・・ＣＯ２センサ
２０・・ＥＣＵ
【図１】
0004788449.tif 000002
【図２】
0004788449.tif 000003
【図３】
0004788449.tif 000004
【図４】
0004788449.tif 000005
【図５】
0004788449.tif 000006
【図６】
0004788449.tif 000007
【図７】
0004788449.tif 000008
【図８】
0004788449.tif 000009